【手続補正書】
【提出日】平成18年2月17日(2006.2.17)
【手続補正１】
【補正対象書類名】明細書
【補正対象項目名】発明の名称
【補正方法】変更
【補正の内容】
【発明の名称】画像表示制御システム、画像表示システム制御方法
【手続補正２】
【補正対象書類名】明細書
【補正対象項目名】特許請求の範囲
【補正方法】変更
【補正の内容】
【特許請求の範囲】
【請求項１】
少なくとも１組の映像信号及び音響信号を含む信号を出力する供給源と、前記供給源よりの信号を受信して対応する画像表示を行なう画像表示部とを備える画像表示制御システムであって、
前記供給源は、
前記映像信号及び前記音響信号を時分割多重化する多重化手段と、
前記多重化手段で多重化した多重化信号を出力する出力手段とを含み、
前記画像表示部は、
前記出力手段より出力される多重化信号を入力する入力手段と、
前記入力手段で入力した多重化信号を対応する映像信号及び音響信号に復元する復元手段と、
前記復元手段で復元した映像信号を対応する情報として表示する表示手段と、
前記復元手段で復元した音響信号を所定タイミングで音響信号に変換して音響出力する音響出力手段と
を備えることを特徴とする画像表示制御システム。
【請求項２】
前記供給源は、前記画像表示部の画像表示タイミングに対応させて前記多重化手段による前記映像信号及び音響信号を多重化させる多重化タイミングを制御するタイミング制御手段を備えることを特徴とする請求項１記載の画像表示制御システム。
【請求項３】
前記画像表示部に自部の特性情報を前記供給源に送信する特性送信手段を備え、前記供給源に前記特性送信手段により送られてきた画像表示部特性を識別して前記タイミング制御手段での制御タイミングを特定するタイミング特定手段を備えることを特徴とする請求項２記載の画像表示制御システム。
【請求項４】
前記タイミング制御手段は、前記画像表示部の表示画面の垂直走査周期及び水平走査周期に対応して前記多重化手段の多重化タイミングを制御することを特徴とする請求項２又は請求項３記載の画像表示制御システム。
【請求項５】
前記タイミング制御手段は、映像信号を垂直走査周期における前記画像表示部の表示画面の有効水平走査タイミングに合わせて出力し、前記音響信号を前記垂直走査周期の映像信号非出力タイミングで出力するように多重化させることを特徴とする請求項４記載の画像表示制御システム。
【請求項６】
更に、前記タイミング制御手段は、前記映像信号及び音響信号の非出力タイミングで前記画像表示部よりのコマンドデータ及び前記供給源よりのコマンドデータの通信可能タイミングに設定することを特徴とする請求項５記載の画像表示制御システム。
【請求項７】
少なくとも１組の映像信号及び音響信号を含む信号を出力する供給源と、前記供給源よりの信号を受信して対応する画像表示を行なう画像表示部とを備える画像表示制御システムであって、
前記供給源は、
前記画像表示部の特定データを検出する検出手段と、
前記検出手段での検出結果に対応して前記画像表示部との通信仕様を決定する通信仕様決定手段と、
前記通信仕様決定手段での決定仕様に従って前記画像表示部に対して供給する前記映像信号及び音響信号を時分割多重化する多重化手段と、
前記多重化手段で多重化した前記映像信号及び音響信号を前記画像表示部に出力する出力手段とを備え、
前記画像表示部は、
前記出力手段よりの多重化情報を受信する受信手段と、
前記受信手段で受信した前記多重化信号を対応する映像信号及び音響信号に復元する復元手段と、
前記復元手段で復元した映像信号を対応する情報として表示する表示手段と、
前記復元手段で復元した音響信号を所定タイミングで音響出力する音響出力手段と
を備えることを特徴とする画像表示制御システム。
【請求項８】
前記供給源は、前記画像表示部に出力する映像信号に所定の画像処理を行なう第１の画像処理手段を備え、前記画像表示部に前記表示手段で表示する画像の表示状態を調整する第２の画像処理手段を備え、前記供給源あるいは前記画像表示部で所望の表示画像調整を可能とすることを特徴とする請求項１乃至請求項７のいずれかに記載の画像表示制御システム。
【請求項９】
前記供給源及び前記画像表示部のそれぞれにユーザよりの動作モード変更指示を受け取る受取手段を備え、前記受取手段の受け取り指示に従って前記第１及び第２の画像処理手段の画像処理条件を設定する設定手段を備えることを特徴とする請求項８に記載の画像表示制御システム。
【請求項１０】
前記設定手段は、前記受取手段での受け取り指示内容に従って前記供給源の前記第１の画像処理手段で処理するか、あるいは前記画像表示部の前記第２の画像処理手段で処理するかの調整権を予め設定し、前記指示内容に対応して調整権の設定されている画像処理手段で対応する処理を実行させることを特徴とする請求項９記載の画像表示制御システム。
【請求項１１】
前記設定手段は、前記受取手段での受け取り指示内容が音量指示であった場合には前記画像表示部の前記音響出力手段に指示して出力音量を調整させることを特徴とする請求項９又は請求項１０記載の画像表示制御システム。
【請求項１２】
前記受取手段は、リモコンよりの指示内容の受け取りを含み、前記供給源に対する指示も画像表示部に対する指示の受け取り、自装置での処理でない指示は相手に返送する指示返送手段を備えることを特徴とする請求項９乃至請求項１１のいずれかに記載の画像表示制御システム。
【請求項１３】
前記画像表示部の特性データには、前記画像表示部が備える表示デバイスの画素数・画素配列、前記画像表示部が備える表示デバイスの発光特性、前記画像表示部の階調特性（階調数、表示デバイスのガンマ特性）、前記画像表示部の種類（画面サイズ、アスペクト比、デバイスの種類）、前記画像表示部が備える音声再生系の仕様、前記画像表示部の表示可能なフレーム周波数、のうちの少なくともいずれかを含むことを特徴とする請求項１乃至請求項１２のいずれかに記載の画像表示制御システム。
【請求項１４】
少なくとも１組の映像信号及び音響信号を含む信号を出力する供給源と、前記供給源よりの信号を受信して対応する画像表示を行なう画像表示部とを備える画像表示制御システムにおける画像表示システム制御方法であって、
前記供給源は、
前記映像信号及び前記音響信号を時分割多重化する多重化工程と、
前記多重化工程で多重化した多重化信号を出力する出力工程とを含み、
前記画像表示部は、
前記出力工程より出力される多重化信号を入力する入力工程と、
前記入力工程で入力した多重化信号を対応する映像信号及び音響信号に復元する復元工程と、
前記復元工程で復元した映像信号を対応する情報として表示する表示工程と、
前記復元工程で復元した音響信号を所定タイミングで音響信号に変換して音響出力する音響出力工程と
を備えることを特徴とする画像表示システム制御方法。
【請求項１５】
少なくとも１組の映像信号及び音響信号を含む信号を出力する供給源と、前記供給源よりの信号を受信して対応する画像表示を行なう画像表示部とを備える画像表示制御システムにおける画像表示システム制御方法であって、
前記供給源は、
前記画像表示部の特定データを検出する検出工程と、
前記検出工程での検出結果に対応して前記画像表示部との通信仕様を決定する通信仕様決定工程と、
前記通信仕様決定工程での決定仕様に従って前記画像表示部に対して供給する前記映像信号及び音響信号を時分割多重化する多重化工程と、
前記多重化工程で多重化した前記映像信号及び音響信号を前記画像表示部に出力する出力工程とを備え、
前記画像表示部は、
前記出力工程よりの多重化情報を受信する受信工程と、
前記受信工程で受信した前記多重化信号を対応する映像信号及び音響信号に復元する復元工程と、
前記復元工程で復元した映像信号を対応する情報として表示する表示工程と、
前記復元工程で復元した音響信号を所定タイミングで音響出力する音響出力工程と
を備えることを特徴とする画像表示システム制御方法。
【請求項１６】
コンピュータに請求項１４又は１５に記載の画像表示システム制御方法を実行させるためのプログラム。
【請求項１７】
請求項１６に記載のプログラムを格納したことを特徴とする、コンピュータ読み取り可能な記憶媒体。